(57)【要約】  本発明は、映像提供システム及びその映像提供方法に関する。本発明によるモバイル端末機に映像を提供する映像提供システムは、ユーザを識別できる識別情報を感知する識別部と前記識別部で前記識別情報が感知されれば、感知された識別情報に対応するユーザを含む映像を撮影する撮影部を含む少なくとも一つの映像獲得装置と、前記映像獲得装置で撮影された映像を所定の送信情報に基づいて、前記モバイル端末機に送信するサーバーと、を含む。これによって撮影装置を携帯しないユーザに容易に映像を提供できる映像提供システム及びその映像提供方法が提供される。
2013509785.tif 000002
【特許請求の範囲】
【請求項１】
モバイル端末機に映像を提供する映像提供システムにおいて、
ユーザを識別できる識別情報を感知する識別部と、前記識別部で前記識別情報が感知されれば、感知された識別情報に対応するユーザを含む映像を撮影する撮影部と、を含む少なくとも一つの映像獲得装置と、
前記映像獲得装置で撮影された映像を所定の送信情報に基づいて、前記モバイル端末機に送信するサーバーと、
を含むことを特徴とする映像提供システム。
【請求項２】
前記サーバーは、前記映像獲得装置及び前記モバイル端末機との無線通信を通じて、映像を送受信することを特徴とする請求項１に記載の映像提供システム。
【請求項３】
前記映像獲得装置は、前記識別情報とマッチングされる前記送信情報を保存する保存部と、
前記撮影された映像と前記送信情報を前記サーバーに送信する通信部と、
をさらに含むことを特徴とする請求項１に記載の映像提供システム。
【請求項４】
前記サーバーは、前記識別情報とマッチングされる前記送信情報を保存しており、
前記撮影された映像を前記識別情報とマッチングされる前記送信情報に基づいて、前記モバイル端末機に送信することを特徴とする請求項１に記載の映像提供システム。
【請求項５】
前記映像獲得装置は、前記サーバーと通信する通信部をさらに含み、
前記撮影部は、前記サーバーから前記感知された識別情報とマッチングされる送信情報が受信される場合、ユーザを撮影することを特徴とする請求項１に記載の映像提供システム。
【請求項６】
前記識別情報は、前記モバイル端末機を識別する端末機情報を含み、前記識別情報は、前記送信情報と同一なことを特徴とする請求項４に記載の映像提供システム。
【請求項７】
前記識別部は、ＲＦＩＤ通信部を含むことを特徴とする請求項４に記載の映像提供システム。
【請求項８】
前記映像獲得装置は、ユーザ入力信号を受信するユーザインターフェースを含み、
前記送信情報は、前記ユーザインターフェースを通じて受信されることを特徴とする請求項１に記載の映像提供システム。
【請求項９】
前記映像獲得装置は、顔認識技術を利用して、ユーザを撮影することを特徴とする請求項１に記載の映像提供システム。
【請求項１０】
前記映像獲得装置は、移動性カメラ及び固定カメラの中で少なくとも一つを含むことを特徴とする請求項１に記載の映像提供システム。
【請求項１１】
前記映像獲得装置は、撮影される映像が表示されるディスプレイ部をさらに含み、前記映像獲得装置は、撮影される映像を選択するユーザインターフェースをさらに含むことを特徴とする請求項１に記載の映像提供システム。
【請求項１２】
前記サーバーは、撮影された映像の鮮明度が所定の臨界値より以上ならば、前記撮影された映像を前記モバイル端末機に送信することを特徴とする請求項１に記載の映像提供システム。
【請求項１３】
前記サーバーは、
前記モバイル端末機から前記モバイル端末機に送信された映像の編集のための編集信号を受信すれば、前記編集信号に対応して保存された映像を処理する映像処理部と、
処理された映像を保存する保存部と、
をさらに含むことを特徴とする請求項１に記載の映像提供システム。
【請求項１４】
前記編集信号は、映像の削除、映像の解像度変更、フレーム設定、テキスト追加、明暗調整、効果変更、アルバム製作の中で少なくとも一つのための信号を含むことを特徴とする請求項１３に記載の映像提供システム。
【請求項１５】
前記サーバーは、前記映像処理部で処理された映像を、前記編集信号を送信する前記モバイル端末機及び所定の個人端末機の中で少なくとも一つに送信することを特徴とする請求項１３に記載の映像提供システム。
【請求項１６】
前記サーバーは、前記処理された映像を印刷する印刷部をさらに含むことを特徴とする請求項１３に記載の映像提供システム。
【請求項１７】
前記サーバーは、撮影された映像を印刷する印刷部をさらに含むことを特徴とする請求項１に記載の映像提供システム。
【請求項１８】
映像獲得装置を含み、モバイル端末機に映像を提供する映像提供システムの映像提供方法において、
前記映像獲得装置でユーザを識別できる識別情報を感知する段階と、
前記感知された識別情報に対応するユーザを含む映像を撮影する段階と、
前記撮影された映像を所定の送信情報に基づいて、前記モバイル端末機に送信する段階と、
を含むことを特徴とする映像提供システムの映像提供方法。
【請求項１９】
前記モバイル端末機に対する送信情報を保存する段階をさらに含み、
前記ユーザ映像を撮影する段階は、前記識別情報が前記送信情報に対応される場合に行われることを特徴とする請求項１８に記載の映像提供方法。
【請求項２０】
前記モバイル端末機に対する送信情報を保存する段階をさらに含み、
前記映像を前記モバイル端末機に送信する段階は、前記識別情報が前記送信情報に対応される場合に行われることを特徴とする請求項１８に記載の映像提供方法。
【請求項２１】
前記識別情報は、前記モバイル端末機を識別する端末機情報を含むことを特徴とする請求項１９又は請求項２０に記載の映像提供システムの映像提供方法。
【請求項２２】
前記映像獲得装置は、ユーザ入力信号を受信するユーザインターフェースを含み、
前記送信情報は、前記ユーザインターフェースを通じて入力されることを特徴とする請求項１８に記載の映像提供システムの映像提供方法。
【請求項２３】
前記ユーザ映像を撮影する段階は、顔認識技術を利用することを特徴とする請求項１８に記載の映像提供システムの映像提供方法。
【請求項２４】
前記映像獲得装置は、移動性カメラ及び固定カメラの中で少なくとも一つを含むことを特徴とする請求項１８に記載の映像提供システムの映像提供方法。
【請求項２５】
前記映像獲得装置は、撮影される映像が表示されるディスプレイ部をさらに含み、
前記ユーザ映像を撮影する段階は、撮影される映像を選択する選択信号を受信する段階を含むことを特徴とする請求項１８に記載の映像提供システムの映像提供方法。
【請求項２６】
前記映像を前記モバイル端末機に送信する段階は、撮影された映像の鮮明度が所定の臨界値以上ならば、前記撮影された映像を前記モバイル端末機に送信することを特徴とする請求項１８に記載の映像提供システムの映像提供方法。
【請求項２７】
前記モバイル端末機から前記モバイル端末機に送信された映像の編集のための編集信号を受信する段階と、
前記編集信号に対応して撮影された映像を処理する段階と、
処理された映像を保存する段階と、
をさらに含むことを特徴とする請求項１８に記載の映像提供システムの映像提供方法。
【請求項２８】
前記編集信号は、映像の削除、映像の解像度変更、フレーム設定、テキスト追加、明暗調整、効果変更、アルバム製作の中で少なくとも一つのための信号を含むことを特徴とする請求項２７に記載の映像提供システムの映像提供方法。
【請求項２９】
前記保存された映像を前記編集信号を送信する前記モバイル端末機及び所定の個人端末機の中で少なくとも一つに送信する段階をさらに含むことを特徴とする請求項２７に記載の映像提供システムの映像提供方法。
【請求項３０】
前記保存された映像を印刷する段階をさらに含むことを特徴とする請求項２７に記載の映像提供システムの映像提供方法。
【請求項３１】
前記撮影された映像を印刷する段階をさらに含むことを特徴とする請求項１８に記載の映像提供システムの映像提供方法。
【請求項３２】
第１デバイス及び第２デバイスを含み、モバイル端末機に映像を提供する映像提供システムにおいて、
前記第１デバイスは、
少なくとも一つのモバイル端末機の認証情報を保存する保存部と、
所定の距離内に存在するモバイル端末機を感知する感知部と、
映像を撮影する撮影部と、
撮影された映像を送信する第１通信部と、
前記感知されたモバイル端末機のユーザを撮影するように前記撮影部を制御し、撮影された映像を前記認証情報に従ってユーザのモバイル端末機に送信するため、及び、前記モバイル端末機から送信された映像を選択する映像選択信号を受信する時、選択された映像を前記第２デバイスに出力するために前記第１通信部を制御する制御部と、
を含み、
前記第２デバイスは、
前記撮影された映像を受信する第２通信部と、
前記第２通信部を通じて受信された映像をアルバムで生成するアルバム生成部と、
を含むことを特徴とする映像提供システム。
【請求項３３】
前記第２デバイスは、前記モバイル端末機から前記モバイル端末機に送信された映像の編集のための編集信号を受信すれば、前記編集信号に対応して保存された映像を処理する映像処理部をさらに含み、
前記アルバム生成部は、処理された映像を印刷してアルバムで生成することを特徴とする請求項３２に記載の映像提供システム。
【請求項３４】
前記第２デバイスは、前記モバイル端末機から前記モバイル端末機に送信された映像の編集のための編集信号を受信すれば、前記編集信号に対応して保存された映像を処理する映像処理部をさらに含み、
前記アルバム生成部は、処理された映像を電子アルバムで生成し、
前記第２通信部は、前記電子アルバムを前記モバイル端末機及び所定の個人端末機の中で少なくとも一つに送信することを特徴とする請求項３２に記載の映像提供システム。
【請求項３５】
前記編集信号は、映像の削除、映像の解像度変更、フレーム設定、テキスト追加、明暗調整、効果変更の中で少なくとも一つのための信号を含むことを特徴とする請求項３３または３４に記載の映像提供システム。
【請求項３６】
モバイル端末機に映像を提供する映像提供システムの映像提供方法において、
モバイル端末機に対する認証情報を保存する段階と、
所定の距離内に存在するモバイル端末機を感知する段階と、
前記感知されたモバイル端末機のユーザを撮影する段階と、
撮影された映像を前記ユーザのモバイル端末機に送信する段階と、
前記モバイル端末機から送信された映像を選択する映像選択信号を受信する段階と、
前記映像選択信号により選択された映像をアルバムで生成する段階と、
を含むことを特徴とする映像提供システムの映像提供方法。
【請求項３７】
前記生成されたアルバムを前記モバイル端末機及び所定の個人端末機の中で少なくとも一つに送信する段階をさらに含むことを特徴とする請求項３６に記載の映像提供方法。
【請求項３８】
前記サーバーは、前記映像獲得装置で撮影された映像を所定の個人端末機に送信することを特徴とする請求項１に記載の映像提供システム。
【請求項３９】
前記制御部は、前記撮影部で撮影された映像を所定の個人端末機に送信することを特徴とする請求項３２に記載の映像提供システム。
【発明の詳細な説明】
【技術分野】
【０００１】
本発明は、映像提供システム及びその映像提供方法（ＩＭＡＧＥ  ＰＲＯＶＩＤＩＮＧ  ＳＹＳＴＥＭ  ＡＮＤ  ＭＥＴＨＯＤ｝に係り、さらに詳しくは、モバイル端末機で映像を提供する映像提供システム及びその映像提供方法に関する。
【背景技術】
【０００２】
テーマパークまたは乗り物のある遊園地のような空間は、ユーザに写真撮影によい環境を提供する。ユーザは、一般的に、カメラのような撮影媒体を個別的に携帯し、これを利用して写真を撮る。
【０００３】
また、ユーザが乗り物に乗っている時に写真が撮影されてユーザに提供されることも可能である。しかし、ユーザが編集を望んでも、このような映像はユーザによる編集が可能ではない。
【０００４】
カメラなどで撮影された映像は、別途のコンピュータのようなデジタル媒体に保存されるが、ユーザは、映像を撮影すること以外にできることがない。
【発明の概要】
【発明が解決しようとする課題】
【０００５】
従って、本発明の一実施形態は、撮影装置を携帯しないユーザに容易に映像を提供できる映像提供システム及びその映像提供方法を提供する。
【０００６】
また、前記実施形態は、ダイナミックな映像を撮影し、撮影された映像をユーザに提供できる映像提供システム及びその映像提供方法を提供する。
【０００７】
また、前記発明の実施形態は、撮影後に編集された映像をユーザに提供できる映像提供システム及びその映像提供方法を提供する。
【０００８】
さらに、本発明の他の実施形態は、撮影された映像を印刷物で速かにユーザに提供できる映像提供システム及びその映像提供方法を提供する。
【課題を解決するための手段】
【０００９】
本発明の一実施形態によれば、モバイル端末機に映像を提供する映像提供システムは、ユーザを識別できる識別情報を感知する識別部と前記識別部で前記識別情報が感知されれば、感知された識別情報に対応するユーザを含む映像を撮影する撮影部を含む少なくとも一つの映像獲得装置と、前記映像獲得装置で撮影された映像を所定の送信情報に基づいて前記モバイル端末機に送信するサーバーとを含む。
【００１０】
前記映像獲得装置は、前記識別情報とマッチングされる前記送信情報を保存する保存部と、前記撮影された映像と前記送信情報を前記サーバーに送信する通信部と、をさらに含むことができる。
【００１１】
前記映像獲得装置は、前記サーバーと通信する通信部をさらに含み、前記撮影部は、前記サーバーから前記感知された識別情報とマッチングされる送信情報が受信される場合、ユーザを撮影することができる。
【００１２】
前記映像獲得装置は、ユーザ入力信号を受信するユーザインターフェースを含み、前記送信情報は、前記ユーザインターフェースを通じて受信されることができる。
【００１３】
前記映像獲得装置は、撮影される映像が表示されるディスプレイ部をさらに含み、前記映像獲得装置は、撮影される映像を選択するユーザインターフェースをさらに含むことができる。
【００１４】
前記サーバーは、前記モバイル端末機から前記モバイル端末機に送信された映像の編集のための編集信号を受信すれば、前記編集信号に対応して保存された映像を処理する映像処理部と、処理された映像を保存する保存部と、をさらに含むことができる。
【００１５】
一方、本発明による映像獲得装置を含み、モバイル端末機に映像を提供する映像提供システムの映像提供方法は、前記映像獲得装置でユーザを識別できる識別情報を感知する段階と、前記感知された識別情報に対応するユーザ映像を撮影する段階と、前記撮影された映像を所定の送信情報に基づいて前記モバイル端末機に送信する段階とを含む。
【００１６】
前記映像提供方法は、前記モバイル端末機に対する送信情報を保存する段階をさらに含み、前記ユーザ映像を撮影する段階は、前記識別情報が前記送信情報に対応される場合に行われることができる。
【００１７】
前記映像提供方法は、前記モバイル端末機に対する送信情報を保存する段階をさらに含み、前記映像を前記モバイル端末機に送信する段階は、前記識別情報が前記送信情報に対応される場合に行われることができる。
【００１８】
前記映像提供方法は、前記モバイル端末機から前記モバイル端末機に送信された映像の編集のための編集信号を受信する段階と、前記編集信号に対応して撮影された映像を処理する段階と；処理された映像を保存する段階とをさらに含むことができる。
【００１９】
前記映像提供方法は、前記保存された映像を、前記編集信号を送信する前記モバイル端末機及び所定の個人端末機の中で少なくとも一つに送信する段階をさらに含むことができる。
【００２０】
前記映像提供方法は、前記保存された映像を印刷する段階をさらに含むことができる。
【００２１】
前記映像提供方法は、前記撮影された映像を印刷する段階をさらに含むことができる。
【００２２】
また、本発明の他の実施形態によるモバイル端末機に映像を提供する映像提供システムは、第１デバイス及び第２デバイスを含み、前記第１デバイスは、少なくとも一つのモバイル端末機の認証情報を保存する保存部と、所定の距離内に存在するモバイル端末機を感知する感知部と、映像を撮影する撮影部と、前記感知されたモバイル端末機のユーザを撮影するように前記撮影部を制御し、撮影された映像を前記認証情報に基づいてユーザのモバイル端末機に送信するため、及び前記モバイル端末機から送信された映像を選択する映像選択信号を受信する時、選択された映像を前記第２デバイスに出力されるために前記第１通信部を制御する制御部と、を含み、前記第２デバイスは、前記撮影された映像を受信する第２通信部と、前記第２通信部を通じて受信された映像をアルバムで生成するアルバム生成部とを含むことができる。
【００２３】
一方、本発明の他の実施形態によるモバイル端末機に映像を提供する映像提供システムの映像提供方法は、モバイル端末機に対する認証情報を保存する段階と、所定の距離内に存在するモバイル端末機を感知する段階と、前記感知されたモバイル端末機に対する前記認証情報が存在すれば前記感知されたモバイル端末機のユーザを撮影する段階と；撮影された映像を前記ユーザのモバイル端末機に送信する段階と、前記モバイル端末機から送信された映像を選択する映像選択信号を受信する段階と；前記映像選択信号により選択された映像をアルバムで生成する段階とを含むことができる。
【図面の簡単な説明】
【００２４】
【図１】本発明の一実施形態による映像提供システムの概略図である。
【図２】図１の映像提供システムの制御ブロック図である。
【図３】図１の映像提供システムの映像提供方法を説明するための制御流れ図である。
【図４】本発明の他の実施形態による映像提供システムの概略図である。
【図５】図４の映像提供システムの制御ブロック図である。
【図６】図４の映像提供システムの映像提供方法を説明するための制御流れ図である。
【図７】本発明のさらなる他の実施形態によるサーバーの制御ブロック図及びモバイル端機の概略図である。
【図８】図７のサーバーを含む映像提供システムの映像提供方法を説明するための制御流れ図である。
【図９】本発明のさらなる他の実施形態によるサーバーの制御ブロック図である。
【図１０】図９のサーバーを含む映像提供システムの映像提供方法を説明するための制御流れ図である。
【図１１】本発明のさらなる他の実施形態による映像提供システムの制御ブロック図である。
【図１２】図１１の映像提供システムの映像提供方法を説明するための制御流れ図である。
【発明を実施するための形態】
【００２５】
以下、添付の図面を参照しつつ、本発明の好適な実施形態について、本発明の属する技術分野における通常の知識を有する者が容易に実施できるように詳細に説明する。本発明は、様々な形態で具現することができ、ここに説明される実施形態に限定されない。本発明を明確に説明するために、関連する周知の部分については適宜説明を省略し、明細書全体を通じて同一または類似の構成要素には同一の参照符号を付ける。
【００２６】
図１は、本発明の一実施形態による映像提供システムの概略図である。図２は、図１の映像提供システムの制御ブロック図である。
【００２７】
図面に示すように、映像提供システムは、映像を撮影する映像獲得装置１００及び映像獲得装置１００から獲得された映像をモバイル端末機に提供するサーバー２００を含む。本実施形態による映像提供システムは、乗り物のある遊園地、公園、展示館、行事場などのような限定された空間に映像獲得装置１００を設けて、限定された空間で撮影された映像をユーザのモバイル端末機３００に提供する。以下、遊園地に設けられている映像提供システムを例えて説明する。
【００２８】
映像獲得装置１００は、少なくとも一つ、好ましくは複数で設けられて、ユーザを撮影するための撮影部１２０を含む。また、映像獲得装置１００は、識別情報を感知する識別部１１０、送信情報を保存する保存部１３０及び撮影された映像をサーバー２００に送信する撮影通信部１４０をさらに含む。映像獲得装置１００は、遊園地の複数の地点、特に背景が美しかったり、キャラクター造形物が設けられていたり、ユーザによる撮影要求が頻繁に発生したり、乗り物を利用するユーザのダイナミックな姿を撮影することができる地点などに配置されることができる。映像獲得装置１００は、移動性のあるカメラを含むこともでき、図１に示すように、自動販売機のように固定されたブースで設けられることもできる。
【００２９】
識別部１１０は、ユーザを識別できる識別情報を感知したり受信する。ユーザは、識別情報を含む媒体を体に持ったり、携帯することができる。識別情報は、ＲＦＩＤタグ内に含まれる暗号であることができるし、この場合、識別部１１０は、ＲＦＩＤ通信部、即ちＲＦＩＤ判読機で具現されることができる。識別部１１０とＲＦＩＤタグは、ＲＦＩＤ判読部の動力だけでＲＦＩＤタグの情報を読んで通信する受動型（ｐａｓｓｉｖｅ）通信方式、ＲＦＩＤタグの動力で情報を送信する能動型（ａｃｔｉｖｅ）通信方式、情報を読むことをＲＦＩＤタグの動力を利用し、通信にはＲＦＩＤ判読機の動力を利用する半受動型（ｓｅｍｉ−ｐａｓｓｉｖｅ）通信方式の中でいずれか一つで通信することができる。具体的に、ユーザは、モバイル端末機、携帯電話または各種のデジタル機器にＲＦＩＤタグを装着することもでき、遊園地に入場する時、乗り物利用券の目印として体に着用する腕輪にＲＦＩＤタグを付着することもできる。ユーザが遊園地内を歩き回れば、映像獲得装置１００は、識別部１１０を通じてユーザが持っている識別情報を自動で感知、または受信することができる。
【００３０】
または、ユーザが携帯しているモバイル端末機３００の固有な端末機情報が識別情報になることができる。即ち、識別部１１０は、所定の距離内に存在するモバイル端末機３００を感知し、モバイル端末機３００から端末機情報を受信することができる。この場合、識別部１１０は、ユーザが携帯しているモバイル端末機３００を通じてユーザを認識することができる。モバイル端末機３００の端末機情報が識別情報になる場合、識別情報は、後述する送信情報と同一、または送信情報を含むことができる。
【００３１】
他の実施形態によれば、識別情報は、ＲＦＩＤタグに含まれている暗号または端末機情報でないユーザ映像自体でありうる。即ち、ユーザの顔面に対する事前情報が映像獲得装置１００に保存されていれば、映像獲得装置１００は、撮影部１２０に入力されるユーザ映像を分析してユーザを識別することができる。この場合、顔認識技術及びイメージプロセッシングによってユーザを識別することができるし、撮影部１２０に入力される映像を処理する映像処理部（図示せず）が識別部になることができる。
【００３２】
撮影部１２０は、識別部１１０で識別情報が感知されたり受信されれば、識別情報に対応するユーザを撮影する。撮影部１２０は、ポーズを取ったり、静止した姿勢にあるユーザでない動くユーザを撮影することもできる。したがって、撮影部１２０は、可能な限り正確にユーザの顔面を認識して、明確な映像を得ることができるように顔認識技術を利用して、ユーザを撮影する。撮影部１２０は、最適の映像を撮影するためにズームイン及びズームアウト調整が可能で、シャッターの速度を調節して、特定時間内に複数の映像を撮影することもできる。また、撮影部１２０で撮影される映像は、写真のような静止映像及び動映像を含むこともできる。動映像が撮影される場合、映像獲得装置１００からサーバー２００に、サーバー２００からモバイル端末機３００に送信されるコンテンツは音声を含むことができる。
【００３３】
保存部１３０は、識別情報とマッチングされる送信情報を保存する。送信情報は、映像を送信するモバイル端末機３００の情報を意味し、識別情報と一対一マッチングされる。モバイル端末機３００が携帯電話機で具現される場合、送信情報は携帯電話機を識別できるＭＡＣアドレスなどを含むことができる。送信情報は、無線インターネット、無線ラン、ＲＦＩＤ通信などの通信網を通じて映像獲得装置１００に送信されることもでき、ユーザがモバイル端末機３００の電話番号を映像獲得装置に１００に入力することによって保存部１３０に登録させることもできる。このような送信情報は、識別情報と同じであることもできるし、異なることもできるし、識別情報に含まれることもできる。ユーザは、映像がモバイル端末機３００に提供されるように、保存部１３０に送信情報を予め保存したり登録させることができる。ユーザを識別するための識別情報は、モバイル端末機を識別するための送信情報と同時に生成されて、映像獲得装置１００に保存されることが好ましい。
【００３４】
他の実施形態によれば、送信情報は、サーバー２００に保存されており、映像獲得装置１００の要求によって映像獲得装置１００に送信されることができる。他の実施形態によれば、撮影部１２０は、感知されたユーザの中で保存部１３０またはサーバー２００に登録されているユーザだけを撮影することもできる。
【００３５】
識別部１１０によって、ユーザの識別情報が感知されれば、撮影通信部１４０は、保存部１３０に該当ユーザに対する送信情報が存在するのかどうかを把握した後、映像を撮影することができる。または、ユーザが感知されれば、サーバー２００と通信して感知された識別情報とマッチングされる送信情報を受信することができる。識別情報とマッチングされる送信情報が存在すれば、撮影部１２０は、ユーザを撮影して、これをサーバー２００に送信する。一方、識別情報とマッチングされる送信情報が存在しなかったり、送信情報に誤りが存在すれば、撮影部１２０はユーザを撮影しないこともできる。ユーザのイメージが送信されない場合、映像の送信によるデータロードを減少させ、不要なデータの送信を防止することができる。その結果、全般的な映像提供システムのデータ送信速度を向上させることができる。
【００３６】
撮影通信部１４０は、撮影された映像をサーバー２００のサーバー通信部２１０に送信する。映像は、ユーザの送信情報と共にサーバー２００に送信される。本実施形態による映像獲得装置１００とサーバー２００は、無線通信を利用して各種の情報及び映像を送受信する。無線通信は、公知された多様な通信規格によって行われることができるし、送信される映像の大きさに対応して速度及び周波数帯域が調節されるように設定されることができる。
【００３７】
他の実施形態によれば、映像獲得装置１００とサーバー２００は、有線ネットワークを通じて連結されることもできるし、二つの装置が直接にケーブルを通じて連結されることもできる。この場合、撮影通信部１３０とサーバー通信部２１０は、装置間を連結するケーブルとコネクターまたはボード間を連結する軟性フィルムまたはコネクターなどで具現することができる。
【００３８】
サーバー２００は、映像獲得装置１００から送信された映像を所定の送信情報に基づいてユーザのモバイル端末機３００に送信する。サーバー２００は、映像獲得装置１００及びモバイル端末機３００と通信するサーバー通信部２１０を含む。
【００３９】
サーバー２００は、映像獲得装置１００から受信されたり、または保存されている送信情報を利用して撮影された映像をユーザのモバイル端末機３００に送信する。サーバー２００は、送信された映像を保存部（図示せず）に保存できるし、ユーザの要請によりモバイル端末機３００に映像を再送信することもできる。
【００４０】
一方、サーバー２００が送信情報を保存する場合、映像獲得装置１００から識別情報に対応する送信情報の存在有無に対する確認要請が受信されれば、保存されている送信情報を映像獲得装置１００に送信したり、識別情報とマッチングされる送信情報の存在可否を映像獲得装置１００に知らせることができる。
【００４１】
本実施形態による映像提供システムは、遊園地のような限定的な空間に複数の所に映像獲得装置１００を配置し、ユーザが映像獲得装置１００から一定範囲内の空間を過ぎ去れば、ユーザを識別してユーザの映像を撮影する。このように撮影された映像は、ユーザのモバイル端末機３００に送信されるので、ユーザはカメラを個別に携帯しなくても容易に映像を得ることができる。また、ユーザが映像を撮影し難い所、例えば、地上から離れた空間に位置する乗り物（ジェットコースター）に撮影部１２０が設けられることができるので、ユーザはより多様で躍動的な映像を得ることができる。
【００４２】
サーバー２００は、映像獲得装置１００から送信された映像の中で映像の鮮明度が所定の臨界値より以上である場合にだけこれをモバイル端末機に送信することもできる。ユーザの動きによって、撮影された映像でユーザを識別できなかったり、 暗すぎたり、ブラーがひどい映像は、ユーザに提供しないことができる。臨界値は、サーバー２００によって調節されることもできるし、映像が提供されるユーザが設定することもできる。
【００４３】
他の実施形態によれば、映像獲得装置１００は、ユーザが撮影される映像を選択できるユーザインターフェースをさらに含むことができる。ユーザは、映像獲得装置１００の撮影部１２０の前でポーズを取ることもできるし、自身が所望する映像を演出することもできる。
【００４４】
図３は、図１の映像提供システムの映像提供方法を説明するための制御流れ図である。図３を参照して本実施形態による映像提供方法を説明する。
【００４５】
まず、ユーザは、ユーザを識別できる識別情報に対応する送信情報を映像獲得装置１００に保存したり登録させる（Ｓ１０）。送信情報は、識別情報と同時に生成されたり時間差を置いて生成されることもできる。
【００４６】
映像獲得装置１００は、所定の距離内のユーザから識別情報を感知したり受信する（Ｓ２０）。識別情報は、ユーザが携帯しているモバイル端末機、または遊園地利用券としての腕輪に含まれることができる。識別部１１０で識別情報が感知されれば、撮影部１２０は、感知された識別情報に対応するユーザを撮影する（Ｓ３０）。撮影部１２０は、顔認識技術によりユーザの顔面を最大に正確に撮影することができる。または、背景とユーザの配置及び遠近に対する多様なアルゴリズムによりユーザを撮影する。
【００４７】
撮影された映像及び送信情報は、映像獲得装置１００からサーバー２００に送信される（Ｓ４０）。映像獲得装置１００とサーバー２００は、有無線通信が可能であるが、本実施形態は、無線通信を利用して映像と識別情報を送信する。
【００４８】
サーバー２００は、送信情報に基づいて受信された映像をモバイル端末機３００に送信する（Ｓ５０）。または、サーバー２００は、受信された映像を追加的に、または単独でモバイル端末機３００でない所定の個人端末機（図示せず）に送信することができる。例えば、サーバー２００に既に設定されている個人用コンピュータ、またはノートブックなどに送信することができる。ユーザの好みによって撮影された映像は、ユーザの家に位置するデスクトップ コンピュータなどに送信されることができる。
【００４９】
一方、他の実施形態によれば、サーバー２００ではなく映像獲得装置１００が、撮影された映像をモバイル端末機３００に送信することもできる。サーバー２００と映像獲得装置１００の中でモバイル端末機３００で撮影された映像を送信する一つは、データ送信速度及びデータ送信環境を考慮して変更されることができる。
【００５０】
図４は、本発明の他の実施形態による映像提供システムの概略図であり、図５は、図４の映像提供システムの制御ブロック図である。図面に示すように、映像提供システムは、ユーザインターフェース１５０とディスプレイ部１６０を含む映像獲得装置１００を含む。映像獲得装置１００は、特定の所に固定されているブース形態で設けられている。前記実施形態のような構成に対する説明は省略する。
【００５１】
ユーザインターフェース１５０は、数字キー及び方向キーを含む入力部で具現されることもできるし、ユーザ入力を誘導するＧＵＩを提供するタッチパネルで設けられることもできる。ディスプレイ部１６０は、撮影される映像を表示することで、各種のパネルを含むことができるし、パネルを駆動するパネル駆動部を含む。ユーザインターフェース１５０がタッチパネルで設けられる場合、ディスプレイ部１６０の外部または内部に装着されてディスプレイ部１６０と一体型で具現されることができる。
【００５２】
本実施形態による映像獲得装置１００は、図４のように、ユーザインターフェース１４０を通じてユーザから送信情報が直接に入力されることができる。ユーザは、映像を撮影した後、または撮影前に、映像を受信できるモバイル端末機３００に対する送信情報をユーザインターフェース１５０を利用して映像獲得装置１００に入力することができる。また、ユーザは、ディスプレイ部１６０に表示された自身が映像を見ながら直接に撮影された映像を選択することができる。即ち、識別部１１０によって自動的に映像が撮影されることもできるが、ユーザの意志によってユーザーの所望する映像が選択されることもできる。
【００５３】
撮影通信部１４０は、撮影された映像と入力された送信情報をサーバー２００に送信し、サーバー２００は、映像及び送信情報を保存部２２０に保存する。
【００５４】
サーバー２００は、送信された映像を送信情報に基づいてリアルタイムでモバイル端末機３００に送信することもできるし、ユーザが映像の受信を所望する時点で、例えば、遊園地から出て行く時、一度に送信することもできる。複数の映像を一時にユーザに容易に送信するために、サーバー２００は、撮影された映像を送信情報別に分類して保存することができる。
【００５５】
本実施形態によると、ユーザは、遊園地に設置されている映像獲得装置１００を利用して直接に所望する映像を撮影することができるし、自身が所望する映像だけをモバイル端末機３００を通じて受信することができる。
【００５６】
図６は、図４の映像提供システムの映像提供方法を説明するための制御流れ図である。図６を参照しながら、本実施形態による映像提供方法を説明する。
【００５７】
映像獲得装置１００は、ユーザインターフェース１４０を通じて、送信情報を受信する（Ｓ１１）。
【００５８】
ユーザは、ユーザインターフェース１４０を利用して映像を選択する選択信号を入力することができるし、撮影部１２０は、このような選択信号によりユーザ映像を撮影する（Ｓ３１）。
【００５９】
前述のように、送信情報は、映像の撮影後に受信されることもできる。
【００６０】
映像獲得装置１００は、撮影された映像及び送信情報を撮影通信部１３０を通じてサーバー２００に送信し（Ｓ４０）、サーバー２００は、送信情報に基づいて撮影された映像をモバイル端末機３００に送信する（Ｓ５０）。
【００６１】
図７は、本発明のまた他の実施形態によるサーバーの制御ブロック図及びモバイル端末機の概略図である。
【００６２】
サーバー２００は、撮影された映像を編集できる映像処理部２３０をさらに含む。本実施形態によるサーバー２００は、図１及び図４の映像提供システムに適用されることができる。
【００６３】
サーバー２００は、撮影された映像をモバイル端末機３００に送信しながら、ユーザが映像を編集できるＧＵＩ情報を共に送信することができる。ユーザは、このようなＧＵＩを利用して撮影された映像を削除したり、映像の解像度を変更したり、フレームを設定したり、テキストを追加することができるし、明暗及び粗さを調整したり、映像に多様な効果を適用することもできる。また、サーバー２００は、ユーザから撮影された映像または変更された映像をアルバムで製作するためのアルバム製作信号を編集信号で受信することもできる。
【００６４】
＜Ａ＞は、ユーザがサーバー２００から送信された映像を削除できるＧＵＩが表示されたモバイル端末機を示す。ユーザは、好ましくない映像を削除することができる。映像を削除するための編集信号がモバイル端末機３００からサーバー２００に送信されれば、サーバー２００は、保存部２２０に保存されている映像を削除する。
【００６５】
＜Ｂ＞は、ユーザの編集信号に従って編集された映像を表示するモバイル端末機３００を示す。ユーザが映像にテキスト（Ｔ）を追加する編集信号をサーバー２００に送信した場合、サーバー２００の映像処理部２３０は、編集信号に対応して保存されている映像を処理し、処理された映像を保存部２２０に保存する。変更された映像は、本来の映像にアップデートされることもできる。サーバー２００は、編集された映像を編集信号を送信したモバイル端末機３００に再送信する。モバイル端末機３００で映像を編集できるアプリケーションを提供することもできるが、モバイル端末機３００で提供される編集機能は、サーバー２００が提供する編集機能より多様でなく、モバイル端末機３００ごとに異なることができる。したがって、本実施形態によるサーバー２００は、モバイル端末機３００に従属的でない編集機能をユーザに提供し、ユーザはサーバー２００を通じて映像を望みどおり編集することができる。
【００６６】
映像処理部２３０は、ユーザによって修正された映像または修正されない映像で電子アルバムを生成することもできる。アルバムは、撮影された映像と共に撮影された時間及び場所に対する情報が挿入されることもできるし、ユーザが編集時に追加したテキスト（Ｔ）等を含むこともできる。
【００６７】
映像処理部２３０で製作された電子アルバムは、サーバー通信部２１０を通じてモバイル端末機３００、またはユーザの個人コンピュータ、またはユーザが指定した他の端末機に送信されることができる。
【００６８】
図８は、図７のサーバーを含む映像提供システムの映像提供方法を説明するための制御流れ図である。映像が撮影されてサーバー２００に送信される過程は、図３及び図６によって具現されることができる。
【００６９】
サーバー２００は、モバイル端末機３００から送信された映像の編集のための編集信号を受信する（Ｓ６０）。編集信号は、映像の削除、映像の解像度の変更、フレーム設定、テキスト追加、明暗調整、効果変更、アルバム製作の中で少なくとも一つのための信号を含む。
【００７０】
映像処理部２３０は、編集信号に対応して映像を処理し（Ｓ７０）、処理された映像を保存する（Ｓ８０）。
【００７１】
その後、サーバー２００は、編集信号を伝送したモバイル端末機３００に保存された映像を送信する（Ｓ９０）。ユーザは、再送信された映像を再び編集することができるので、（Ｓ６０）乃至（Ｓ９０）は、繰り返すことができる。
【００７２】
映像処理部２３０によって製作された電子アルバムは、モバイル端末機３００、またはユーザの個人コンピュータ、またはユーザが指定した他の端末機に送信される（Ｓ９５）。
【００７３】
電子アルバムを製作するためにユーザの事前設定及び同意が要求されるし、サーバー２００は、多様な経路を通じてアルバム製作信号を受信することができる。
【００７４】
図９は、本発明のまた他の実施形態によるサーバーの制御ブロック図である。
【００７５】
本実施形態によるサーバー２００は、保存された映像、即ち、ユーザによって編集されたり、最初に送信された映像、または図７及び図８に示されている実施形態による映像処理部２３０で生成された電子アルバムを印刷物として印刷する印刷部２４０を含む。サーバー２００は、図１及び図４の映像提供システムに適用されることができる。
【００７６】
映像獲得装置１００またはサーバー２００は、ユーザから撮影された映像をアルバムのような印刷物へ印刷するためのアルバム製作要請信号を受信できて、これに対応して、印刷部２４０はアルバムを製作する。アルバム製作要請信号は、多様な形態で受信されることができる。サーバー２００は、ユーザが識別情報を映像獲得装置１００に伝送したり、送信情報を登録することをアルバム製作要請信号で把握することもでき、編集信号をアルバム製作要請信号で把握することができる。もちろん、ユーザは、識別情報、送信情報、編集信号とは異なるルートを通じて、アルバム製作要請信号をサーバー２００に送信することができる。また、ユーザは印刷物に対する選択信号をアルバム製作要請信号と共に送信することもできる。例えば、映像を白黒で出力したり、印刷用紙の大きさを調節したり、印刷用紙の種類を選択することもできる。
【００７７】
印刷部２４０は、サーバー２００と物理的に分離されている装置で具現されることができて、遊園地の出口の方に配置されることができる。ユーザは、印刷部２４０に含まれているユーザインターフェース（図示せず）を利用して選択信号を入力することもでき、モバイル端末機３００で選択信号を生成することもできる。
【００７８】
図１０は、図９のサーバーを含む映像提供システムの映像提供方法を説明するための制御流れ図である。サーバー２００は、アルバム製作に対する要請信号をモバイル端末機３００から受信する（Ｓ１００）。アルバム製作に対する要請信号を受信した後、映像の編集のための編集信号を受信し、編集された映像が処理され、処理された映像を再びモバイル端末機３００に送信して、ユーザの選択を受ける段階（Ｓ６０−Ｓ９０）がさらに追加されることができる。
【００７９】
印刷部２４０は、アルバム製作に対する信号に対応して保存されている映像を印刷する（Ｓ１１０）。印刷物は、ユーザが容易に携帯して保管できるアルバムで製作されることが好ましい。ユーザは、遊園地で撮影された映像を遊園地を出ながら、速かにアルバムで所有することができる。
【００８０】
遊園地で撮影された映像でアルバムを製作し、製作されたアルバムを遊園地を出る時に提供するアルバム製作サービスは、遊園地に入る時にユーザが購買する形態で提供されることができる。ユーザは、識別情報及び送信情報を生成または登録することによってサービス利用をスタートすれば、遊園地を出る時に現像された映像がアルバム制作物で提供されることができる。
【００８１】
他の実施形態によると、サーバー２００は、ユーザによってアルバムの製作要請に対する信号が受信されれば、これを印刷物で出力しなくて、電子アルバムで製作して、ユーザーの所望する端末機またはサイトに送信することもできる。電子アルバムは、ユーザのイーメールに発送されることもでき、特定のブログやコミュニティに送信されることもできるだろう。
【００８２】
図１１は、本発明のまた他の実施形態による映像提供システムの制御ブロック図であり、図１２はこれに対する制御流れ図である。本実施形態による映像提供システムも、遊園地などのような限定された空間でユーザの映像を撮影し、これをユーザのモバイル端末機３００に提供する。映像提供システムは、第１デバイス４００及び第２デバイス５００を含み、第１デバイス４００は、保存部４１０、感知部４２０、撮影部４３０、第１通信部４４０、制御部４５０を含み、第２デバイス５００は、第２通信部５１０、アルバム生成部５２０を含む。
【００８３】
保存部４１０は、少なくとも一つのモバイル端末機の認証情報を保存する。認証情報は、モバイル端末機を識別できる情報として、モバイル端末機によって入力されたり、ユーザによって登録されることができる。また、認証情報は、第２デバイス５００を通じて受信されたり、他の第３の装置を通じて受信されることもできる。
【００８４】
感知部４２０は、所定の距離内に存在するモバイル端末機３００を感知する。感知部４２０は、ＲＦＩＤ通信部で具現されることもでき、通信可能な媒体を感知できるアクセス ポイントまたは中継機で設けられることもできる。または、感知部４２０は、モバイル端末機３００でないユーザを識別できる識別情報を感知することもできる。
【００８５】
撮影部４３０は、感知されたモバイル端末機３００を携帯しているユーザまたは識別されたユーザを撮影する。撮影部４３０は、可動式及び固定カメラを含むことができる。
【００８６】
第１通信部４４０は、第２デバイス５００と通信し、モバイル端末機３００に撮影された映像を送信する。
【００８７】
制御部４５０は、前記構成要素を全体的に制御し、サーバー２００とモバイル端末機３００との通信を制御する。制御部４５０は、モバイル端末機３００が感知されれば、感知されたモバイル端末機３００のユーザを撮影するように撮影部４３０を制御する。制御部４５０は、感知されたモバイル端末機３００に対する認証情報を確認し、前記認証情報が確認される場合、ユーザ映像が撮影されるように撮影部４３０を制御することもできる。制御部４５０は、撮影された映像がユーザのモバイル端末機３００に送信され、モバイル端末機３００から送信された映像を選択する映像選択信号を受信すれば、選択された映像が第２デバイス５００で出力されるように第１通信部４４０を制御する。
【００８８】
第２デバイス５００の第２通信部５１０は、第１通信部４４０との通信を通じて映像を受信したり第１デバイス４００の所望する情報を送信することができる。
【００８９】
アルバム生成部５２０は、第２通信部５１０を通じて入力された映像をアルバムで生成する。アルバム生成部５２０は、ユーザの要求及び編集信号に従って映像を編集する映像処理部をさらに含むことができる。アルバム生成部５２０は、入力された映像を印刷して、アルバムで生成することもでき、電子アルバムで生成することもできる。
【００９０】
図１２を参照して、本実施形態による映像提供方法を説明すれば次のようである。
【００９１】
まず、第１デバイス４００または第２デバイス５００を通じて、モバイル端末機３００に対する認証情報を受信し、これを保存部４１０に保存する（Ｓ２１０）。
【００９２】
第１デバイス４００の感知部４２０は、所定の距離内にモバイル端末機の存在可否、即ち、所定の距離内にモバイル端末機３００の接近可否を感知する（Ｓ２２０）。
【００９３】
その後、制御部４５０は、感知されたモバイル端末機３００に対する認証情報の存在可否を判断する（Ｓ２３０）。即ち、制御部４５０は、感知されたモバイル端末機３００の登録可否を判断する。
【００９４】
判断結果、感知されたモバイル端末機３００に対する認証情報が存在すれば、感知されたモバイル端末機３００のユーザを撮影する（Ｓ２４０）。しかし、感知されたモバイル端末機３００に対する認証情報が存在しなければ、撮影しなくてモバイル端末機の感知段階を繰り返す。（Ｓ２３０）は省略されることができる。
【００９５】
その後、撮影された映像をユーザのモバイル端末機３００に送信する（Ｓ２５０）。
【００９６】
映像が送信されたユーザは、撮影された映像を選択したり、または削除することができる。
【００９７】
モバイル端末機３００から送信された映像を選択する映像選択信号を受信すれば（Ｓ２６０）、第１デバイス４００は、これを保存し、選択された映像を第２デバイス５００に送信する。
【００９８】
第２デバイス５００のアルバム生成部５２０は、送信された映像でアルバムを生成する（Ｓ２７０）。ユーザの選択によりアルバムで製作された映像の編集処理が可能で、この場合、編集された映像がアルバムで製作されるだろう。編集された映像が電子アルバムで生成されれば、電子アルバムは、第２通信部５１０を通じてモバイル端末機３００またはユーザの個人端末機（図示せず）に送信されることができる。
【００９９】
本実施形態による映像提供システムは、映像を撮影しユーザに送信する第１デバイス４００及び第１デバイス４００から送信された映像をアルバムで製作する第２デバイス５００を含むことによって、ユーザにより容易で簡便に自身の映像で製作されたアルバムを提供する。本実施形態による映像提供システムも、図示しないディスプレイ部及びユーザインターフェースをさらに含むことができることは当業者に自明だろう。
【０１００】
以上では具体的な実施例及び図面に挙げて本発明を説明してきたが、本発明の属する技術分野における通常の知識を有する当業者にとっては、本発明の原則や精神を逸脱しない限度内で、様々な変形実施が可能であるということは明らかである。したがって、本発明の範囲は、添付の請求項とその均等物により定められるべきである。
【符号の説明】
【０１０１】
１００  映像獲得装置
２００  サーバー
３００  モバイル端末機
【図１】
2013509785.tif 000003
【図２】
2013509785.tif 000004
【図３】
2013509785.tif 000005
【図４】
2013509785.tif 000006
【図５】
2013509785.tif 000007
【図６】
2013509785.tif 000008
【図７】
2013509785.tif 000009
【図８】
2013509785.tif 000010
【図９】
2013509785.tif 000011
【図１０】
2013509785.tif 000012
【図１１】
2013509785.tif 000013
【図１２】
2013509785.tif 000014
【国際調査報告】
2013509785.tif 000015
2013509785.tif 000016